(57)【特許請求の範囲】
【請求項１】
図柄を変動表示させて遊技演出を行なう図柄表示装置の表示部に臨むよう配設した固定部と、前記固定部に移動可能に配設され、前記図柄表示装置の遊技演出に合わせて所定の演出動作を行なう演出部材とを備えた遊技機の可動演出装置であって、
前記固定部に移動不能に設けられ、前記演出部材に所要長に延在する第１移動案内部に対し移動可能に係合する第２固定案内部と、
前記演出部材に移動不能に設けられ、前記固定部に所要長に延在する第１固定案内部に対し移動可能に係合する第２移動案内部とを備え、
前記第２固定案内部が前記第１移動案内部に対して相対的に移動すると共に、前記第２移動案内部が前記第１固定案内部に対して相対的に移動することで、前記固定部に対する前記演出部材の移動が規定されるよう構成すると共に、
第１演出部材である前記演出部材に隣接して、該第１演出部材に連係された第２演出部材が配設され、
前記固定部に移動不能に設けられ、前記第２演出部材に所要長に延在する第３移動案内部に対し移動可能に係合する第４固定案内部と、
前記第２演出部材に移動不能に設けられ、前記固定部に所要長に延在する第３固定案内部に対し移動可能に係合する第４移動案内部と、
前記第２演出部材の前記第１演出部材に臨む部位に設けられ、両演出部材が近接する方向で該第１演出部材に設けた被当接部に当接する当接部とを備え、
前記第４固定案内部が前記第３移動案内部に対して相対的に移動すると共に、前記第４移動案内部が前記第３固定案内部に対して相対的に移動することで、前記固定部に対する前記第２演出部材の移動が規定されると共に、前記当接部が前記被当接部に当接することで、両演出部材の間隔が保持されるよう構成した
ことを特徴とする遊技機の可動演出装置。
【請求項２】
前記固定部は、前側に装飾体を備え、
前記第１演出部材は、前記装飾体の前方に臨む第１演出体を備えると共に、
前記第２演出部材は、前記装飾体の前方に臨む第２演出体を備え、
前記装飾体には、前記第１演出部材の移動方向に沿って延在する第５固定案内部が設けられると共に、前記第２演出部材の移動方向に沿って延在する第６固定案内部が設けられ、
前記第１演出体には、前記第５固定案内部に摺動可能に係合する第５移動案内部が設けられると共に、前記第２演出体には、前記第６固定案内部に摺動可能に係合する第６移動案内部が設けられ、
前記第５移動案内部が前記第５固定案内部に係合することで、前記第１演出体が前記装飾体に支持された状態で移動すると共に、前記第６移動案内部が前記第６固定案内部に係合することで、前記第２演出体が前記装飾体に支持された状態で移動するよう構成した請求項１記載の遊技機の可動演出装置。
【請求項３】
図柄を変動表示させて遊技演出を行なう図柄表示装置の表示部に臨むよう配設した固定部と、前記固定部に移動可能に配設され、前記図柄表示装置の遊技演出に合わせて所定の演出動作を行なう演出部材とを備えた遊技機の可動演出装置であって、
前記固定部に移動不能に設けられ、前記演出部材に所要長に延在する第１移動案内部に対し移動可能に係合する第２固定案内部と、
前記演出部材に移動不能に設けられ、前記固定部に所要長に延在する第１固定案内部に対し移動可能に係合する第２移動案内部とを備え、
前記第２固定案内部が前記第１移動案内部に対して相対的に移動すると共に、前記第２移動案内部が前記第１固定案内部に対して相対的に移動することで、前記固定部に対する前記演出部材の移動が規定されるよう構成すると共に、
前記固定部は、前側に装飾体を備え、
前記演出部材は、前記装飾体の前方に臨む演出体を備え、
前記装飾体には、前記演出部材の移動方向に沿って延在する別の固定案内部が設けられると共に、
前記演出体には、前記装飾体に設けられた前記別の固定案内部に摺動可能に係合する別の移動案内部が設けられ、
前記演出体に設けられた前記別の移動案内部が前記装飾体に設けられた前記別の固定案内部に係合することで、前記演出体が前記装飾体に支持された状態で移動するよう構成した
ことを特徴とする遊技機の可動演出装置。
【請求項４】
前記第２固定案内部および第２移動案内部は回転自在な回転体であり、
前記第１移動案内部および第１固定案内部は、前記回転体が転動可能なガイド溝である請求項１〜３の何れか一項に記載の遊技機の可動演出装置。
【発明の詳細な説明】
【技術分野】
【０００１】
この発明は、図柄を変動表示させて遊技演出を行なう図柄表示装置が臨む装飾部材の支持台部に移動可能に配設され、前記図柄表示装置の遊技演出に合わせて所定の演出動作を行なう演出部材を備えた遊技機の可動演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示装置を臨ませるよう構成される。そして、遊技盤の盤面に形成された遊技領域に打ち出された遊技球が、装飾部材の下方位置に配設した始動入賞装置に入賞することにより、図柄表示装置の図柄表示部での図柄変動ゲームが行なわれるようになっている。また、多くのパチンコ機では、所要の動作を行なう演出部材を備えた可動演出装置が前記装飾部材に配設されており、演出部材を図柄表示装置での図柄変動ゲームに合わせて動作させることにより演出効果の向上を図っている。
【０００３】
例えば可動演出装置としては、装飾部材の下側に上下方向に往復運動が可能な複数の可動部材(演出部材)を備えたものがある(特許文献１参照)。各可動部材は、ラックの上端に固定され、モータに連動したピニオンをラックと噛合し、モータの回転駆動に伴うピニオンの回転によりラックが上下動する構成である。そして、ラックの上下動に伴って、可動部材が装飾部材の下側から上方に突出して図柄表示装置の前側に臨んだり、装飾部材の内方に退避するようになっている。
【先行技術文献】
【特許文献】
【０００４】
【特許文献１】特開２００１−１３７４６１号公報
【発明の開示】
【発明が解決しようとする課題】
【０００５】
前述した可動演出装置では、可動部材がラックの上端に固定されているだけで、装置に対して案内部を介して昇降可能に配設されてはいない。このため、モータの回転駆動に伴ってラックを上下動させる際に、可動部材にぶれが発生して安定的に昇降移動できなくなり、該可動部材が出入口に接触して異音が発生したり、場合によっては該可動部材が出入口に引掛かって破損する等の問題がある。
【０００６】
すなわち本発明は、従来の技術に係る遊技機の可動演出装置に内在する前記問題に鑑み、これらを好適に解決するべく提案されたものであって、演出部材がスムーズに移動するように構成した遊技機の可動演出装置を提供することを目的とする。
【課題を解決するための手段】
【０００７】
前記課題を克服し、所期の目的を達成するため、本願の請求項１に記載の発明は、
図柄を変動表示させて遊技演出を行なう図柄表示装置(H)の表示部(H1)に臨むよう配設した固定部(51)と、前記固定部(51)に移動可能に配設され、前記図柄表示装置(H)の遊技演出に合わせて所定の演出動作を行なう演出部材(61)とを備えた遊技機の可動演出装置であって、
前記固定部(51)に移動不能に設けられ、前記演出部材(61)に所要長に延在する第１移動案内部(84)に対し移動可能に係合する第２固定案内部(72)と、
前記演出部材(61)に移動不能に設けられ、前記固定部(51)に所要長に延在する第１固定案内部(71)に対し移動可能に係合する第２移動案内部(85)とを備え、
前記第２固定案内部(72)が前記第１移動案内部(84)に対して相対的に移動すると共に、前記第２移動案内部(85)が前記第１固定案内部(71)に対して相対的に移動することで、前記固定部(51)に対する前記演出部材(61)の移動が規定されるよう構成すると共に、
第１演出部材である前記演出部材(61)に隣接して、該第１演出部材(61)に連係された第２演出部材(62)が配設され、
前記固定部(51)に移動不能に設けられ、前記第２演出部材(62)に所要長に延在する第３移動案内部(94)に対し移動可能に係合する第４固定案内部(76)と、
前記第２演出部材(62)に移動不能に設けられ、前記固定部(51)に所要長に延在する第３固定案内部(75)に対し移動可能に係合する第４移動案内部(95)と、
前記第２演出部材(62)の前記第１演出部材(61)に臨む部位に設けられ、両演出部材(61,62)が近接する方向で該第１演出部材(61)に設けた被当接部(123)に当接する当接部(122)とを備え、
前記第４固定案内部(76)が前記第３移動案内部(94)に対して相対的に移動すると共に、前記第４移動案内部(95)が前記第３固定案内部(75)に対して相対的に移動することで、前記固定部(51)に対する前記第２演出部材(62)の移動が規定されると共に、前記当接部(122)が前記被当接部(123)に当接することで、両演出部材(61,62)の間隔が保持されるよう構成したことを要旨とする。
【０００８】
従って、請求項１に係る発明によれば、演出部材に設けた第２移動案内部と固定部に設けた第１固定案内部とが当接すると共に、該演出部材に設けた第１移動案内部と該固定部に設けた第２固定案内部とが当接することで、演出部材は２カ所で固定部に支持されながら安定して移動するようになる。これにより、演出部材が移動するに際してがたつきが発生することを防止することができると共に、該演出部材と他部との接触による異音の発生や該演出部材の破損等を防止することができ、演出部材による演出効果の向上を図ることができる。
また、第１演出部材に隣接して設けた第２演出部材は、該第２演出部材に設けた第４移動案内部と装飾部材に設けた第３固定案内部とが当接すると共に、該第２演出部材に設けた第３移動案内部と該装飾部材に設けた第４固定案内部とが当接することで、２カ所で固定部に支持されながら安定して移動するようになる。また、第１演出部材に設けた被当接部と第２演出部材に設けた当接部とが当接することで、両演出部材の間隔が一定に保持されるようになり、両演出部材が移動する際にがたつきが発生することを防止することができると共に、両演出部材の接触による異音の発生や該演出部材の破損等を防止することができる。
【０００９】
請求項２に記載の発明では、
前記固定部(51)は、前側に装飾体(40)を備え、
前記第１演出部材(61)は、前記装飾体(40)の前方に臨む第１演出体(81)を備えると共に、
前記第２演出部材(62)は、前記装飾体(40)の前方に臨む第２演出体(91)を備え、
前記装飾体(40)には、前記第１演出部材(61)の移動方向に沿って延在する第５固定案内部(55)が設けられると共に、前記第２演出部材(62)の移動方向に沿って延在する第６固定案内部(56)が設けられ、
前記第１演出体(81)には、前記第５固定案内部(55)に摺動可能に係合する第５移動案内部(89)が設けられると共に、前記第２演出体(91)には、前記第６固定案内部(56)に摺動可能に係合する第６移動案内部(99)が設けられ、
前記第５移動案内部(89)が前記第５固定案内部(55)に係合することで、前記第１演出体(81)が前記装飾体(40)に支持された状態で移動すると共に、前記第６移動案内部(99)が前記第６固定案内部(56)に係合することで、前記第２演出体(91)が前記装飾体(40)に支持された状態で移動するよう構成したことを要旨とする。
従って、請求項２に係る発明によれば、固定部の装飾体に設けられた第５固定案内部に、第１演出部材における装飾体の前方に臨む第１演出体に設けられた第５移動案内部が摺動可能に係合しているので、装飾部材に対して第１演出部材が移動する際に、第１演出体が装飾体に支持されながら安定して移動するようになる。また、装飾部材の装飾体に設けられた第６固定案内部に、第２演出部材における装飾体の前方に臨む第２演出体に設けられた第６移動案内部が摺動可能に係合しているので、装飾部材に対して第２演出部材が移動する際に、第２演出体が装飾体に支持されながら安定して移動するようになる。これにより、第１演出部材および第２演出部材が移動するに際して、第１演出体および第２演出体にがたつきが発生することを防止することができると共に、第１演出体と装飾体との接触および第２演出体および装飾体との接触による異音の発生や、両演出体の破損等を防止することができる。
【００１０】
また、前記課題を克服し、所期の目的を達成するため、本願の請求項３に記載の発明では、
図柄を変動表示させて遊技演出を行なう図柄表示装置(H)の表示部(H1)に臨むよう配設した固定部(51)と、前記固定部(51)に移動可能に配設され、前記図柄表示装置(H)の遊技演出に合わせて所定の演出動作を行なう演出部材(61)とを備えた遊技機の可動演出装置であって、
前記固定部(51)に移動不能に設けられ、前記演出部材(61)に所要長に延在する第１移動案内部(84)に対し移動可能に係合する第２固定案内部(72)と、
前記演出部材(61)に移動不能に設けられ、前記固定部(51)に所要長に延在する第１固定案内部(71)に対し移動可能に係合する第２移動案内部(85)とを備え、
前記第２固定案内部(72)が前記第１移動案内部(84)に対して相対的に移動すると共に、前記第２移動案内部(85)が前記第１固定案内部(71)に対して相対的に移動することで、前記固定部(51)に対する前記演出部材(61)の移動が規定されるよう構成すると共に、
前記固定部(51)は、前側に装飾体(40)を備え、
前記演出部材(61)は、前記装飾体(40)の前方に臨む演出体(81)を備え、
前記装飾体(40)には、前記演出部材(61)の移動方向に沿って延在する別の固定案内部(55)が設けられると共に、
前記演出体(81)には、前記装飾体(40)に設けられた前記別の固定案内部(55)に摺動可能に係合する別の移動案内部(89)が設けられ、
前記演出体(81)に設けられた前記別の移動案内部(89)が前記装飾体(40)に設けられた前記別の固定案内部(55)に係合することで、前記演出体(81)が前記装飾体(40)に支持された状態で移動するよう構成したことを要旨とする。
【００１１】
従って、請求項３に係る発明によれば、演出部材に設けた第２移動案内部と固定部に設けた第１固定案内部とが当接すると共に、該演出部材に設けた第１移動案内部と該固定部に設けた第２固定案内部とが当接することで、演出部材は２カ所で固定部に支持されながら安定して移動するようになる。これにより、演出部材が移動するに際してがたつきが発生することを防止することができると共に、該演出部材と他部との接触による異音の発生や該演出部材の破損等を防止することができ、演出部材による演出効果の向上を図ることができる。
そして、固定部の装飾体に設けられた別の固定案内部に、演出部材における装飾体の前方に臨む演出体に設けられた別の移動案内部が摺動可能に係合しているので、固定部に対して演出部材が移動する際に、演出体が装飾体に支持されながら安定して移動するようになる。これにより、演出部材が移動するに際して演出体にがたつきが発生することを防止することができると共に、該演出体と装飾体との接触による異音の発生や該演出体の破損等を防止することができる。
【００１２】
請求項４に記載の発明では、
前記第２固定案内部(72)および第２移動案内部(85)は回転自在な回転体であり、
前記第１移動案内部(84)および第１固定案内部(71)は、前記回転体が転動可能なガイド溝であることを要旨とする。
従って、請求項４に係る発明によれば、演出部材に設けた回転体が装飾部材に設けたガイド溝を転動すると共に、装飾部材に設けた回転体が演出部材に設けたガイド溝を転動することで、装飾部材に対して演出部材をスムーズに移動させることができる。
【発明の効果】
【００１３】
本願発明に係る遊技機の可動演出装置によれば、演出部材がスムーズに移動するので、可動演出装置の故障を防止し得ると共に、適切な演出効果が得られる。
【図面の簡単な説明】
【００１４】
【図１】実施例のパチンコ機の正面図である。
【図２】実施例のパチンコ機における遊技盤の正面図である。
【図３】遊技盤の後側に配設される設置部材に、第１可動演出装置を装着する状態を示す斜視図である。
【図４】(ａ)は、第１演出部材が第１退避位置に停止すると共に第２演出部材が第２退避位置に停止した状態の第１可動演出装置を前側から見た斜視図であり、(ｂ)は、(ａ)の状態の第１可動演出装置を後側から見た斜視図である。
【図５】第１可動演出装置の平面図である。
【図６】第１演出部材が第１退避位置に停止すると共に第２演出部材が第２退避位置に停止した状態の第１可動演出装置を、固定ベース部材の後半体を取り外した状態で示す背面図である。
【図７】第１可動演出装置を背面側から見た分解斜視図である。
【図８】第１演出部材、第２演出部材および前支持板を背面側から見た斜視図である。
【図９】(ａ)は、第１演出部材が第１移動位置に停止すると共に第２演出部材が第２退避位置に停止した状態の第１可動演出装置を前側から見た斜視図であり、(ｂ)は、(ａ)の状態の第１可動演出装置を後側から見た斜視図である。
【図１０】第１演出部材が第１移動位置に停止すると共に第２演出部材が第２移動位置に停止した状態の第１可動演出装置を、固定ベース部材の後半体を取り外した状態で示す背面図である。
【図１１】図１０のＸ−Ｘ線断面図である。
【図１２】図１０のＹ−Ｙ線断面図である。
【図１３】(ａ)は、第１装飾部材の前装飾部材に設けた第１ガイドレールおよび第１演出部材の第１演出体に設けたガイドバーとの係合状態を示す説明図であり、(ｂ)は、第１装飾部材の前装飾部材に設けた第２ガイドレールおよび第２演出部材の第２演出体に設けたガイド片との係合状態を示す説明図である。
【発明を実施するための形態】
【００１５】
次に、本発明に係る遊技機の可動演出装置につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１６】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０の始動入賞口２０Ａへのパチンコ球(遊技球)の入賞)を契機として演出用の図柄を変動表示させて図柄変動演出を行なう図柄表示装置Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方にパチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１７】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔(例えば、０．６秒間隔)で１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１８】
(遊技盤)
前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３に示す設置部材３０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１９】
前記遊技盤Ｄには、図２に示すように、中央に大きな貫通口が形成され、前後に開口して遊技演出領域とされる表示窓口２８Ａが形成された枠状装飾部材２８が、該貫通口の開口縁に配設されている。この枠状装飾部材２８には、前記設置部材３０の後側に着脱可能に配設された図柄表示装置Ｈ(図１参照)の表示部Ｈ１で演出表示される遊技内容に合わせた装飾が施されている。そして、前記枠状装飾部材２８の表示窓口２８Ａには、前記設置部材３０に配設された図柄表示装置Ｈにおける表示部Ｈ１や、該設置部材３０の前側に配設される後述の第１〜第３の可動演出装置５０,１３０,１３５等が臨んでいる。なお、前記枠状装飾部材２８と前記盤面飾り部材１３との間には、パチンコ球の流下が可能な流下経路１５が形成されている。
【００２０】
また前記遊技盤Ｄには、前記貫通口の真下において、該遊技盤Ｄの左右中央に第１装着口が開設され、該貫通口の右下方(第１装着口の右側)に第２装着口が開設されると共に、前記第１装着口の左側に第３装着口が開設されている。前記第１装着口には始動入賞装置２０が前側から配設され、前記第２装着口には特別入賞装置２１が前側から配設されると共に、第３装着口には３つの入賞口２２Ａが左右に配列された普通入賞具２２が配設されている。すなわち前記特別入賞装置２１は、前記枠状装飾部材２８の右側に形成された前記流下経路１５の下方に位置している。なお、遊技盤Ｄの前面における前記遊技領域１０内には、多数の球案内釘２３および回転球案内具２５等が配設されている。
【００２１】
前記始動入賞装置２０、特別入賞装置２１および普通入賞具２２には、各々に入賞したパチンコ球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示部Ｈ１での図柄変動演出の後に、該表示部Ｈ１に所定の図柄組合わせで図柄が停止表示され、前記特別入賞装置２１の開閉扉２１Ａが開放位置に姿勢変位して多数のパチンコ球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２２】
(設置部材)
前記設置部材３０は、図３に示すように、前方に開放する略矩形のバケット状に一体成された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で対向して該遊技盤Ｄの後面を構成する設置壁部３１と、この設置壁部３１の周縁から前方へ延出形成された外周壁部３２と、この外周壁部３２の前端から外方に向けて屈曲形成された縁板部３３等を備えている。すなわち設置部材３０は、外周壁部３２で囲われて遊技盤Ｄ側に開放する前部開口が矩形状に形成されると共に、縁板部３３の外周縁が、遊技盤Ｄの外周縁より一回り小さい形状および大きさで形成されている。このような設置部材３０は、縁板部３３を遊技盤Ｄの後面にネジ止めすることで該遊技盤Ｄに固定され、遊技盤Ｄの後面から離間した設置壁部３１の前側に、第１〜第３の各可動演出装置５０,１３０,１３５や、装飾部材およびその他の各種部材の配設を可能とする空間ＳＰを画成する。
【００２３】
前記設置部材３０の設置壁部３１には、図３に示すように、前後に貫通する表示開口３４が形成されており、該設置壁部３１の後側には、前記表示部Ｈ１を臨ませた状態で前記図柄表示装置Ｈが着脱可能に取り付けられる(図３では、図柄表示装置は図示省略してある)。この図柄表示装置Ｈは、各種図柄を表示可能な表示部Ｈ１をなす液晶パネルが収容ケースに収容されたユニット部材であって、該収容ケースの後面には、該図柄表示装置Ｈの表示部Ｈ１の表示制御を行なう表示制御装置と、当該パチンコ機Ｐの遊技演出を統括的に制御する前記統括制御装置が配設される。統括制御装置には、設置壁部３１の後側に配設した中継基板(図示せず)を介して前記図柄表示装置Ｈ、前記前枠Ｃに配設されたランプ装置や前記中枠Ｂに配設されたスピーカ等が電気的に接続されており、該統括制御装置から出力される制御信号に基づいて各装置が作動制御される。また統括制御装置には、中継基板を介して、設置壁部３１の前側に配設された前記第１〜第３の装飾部材４０,４５,４６に配設されたランプ装置や、前記第１〜第３の各可動演出装置５０,１３０,１３５等が電気的に接続されており、該統括制御装置から出力される制御信号に基づいて各ランプ装置の点灯制御や各可動演出装置５０,１３０,１３５の作動が制御される。なお前記設置壁部３１は、表示開口３４の上側部分を上板部３１Ａ、表示開口３４の下側部分を下板部３１Ｂと指称すると共に、表示開口３４の右側部分を右板部３１Ｃ、表示開口３４の左側部分を左板部３１Ｄと指称する。
【００２４】
前記設置部材３０における設置壁部３１の上板部３１Ａの前側には、図３に示すように、左右方向に細長い横長の第１可動演出装置５０が配設されている。この第１可動演出装置５０の左右方向の長さは、前記上板部３１Ａの左右幅と略同じに設定されている。そして、前記上板部３１Ａの前面における左端近傍および右端近傍には、前方へ突出した複数の第１取付ボス３５が形成されており、第１可動演出装置５０は、その左端部分および右端部分を各第１取付ボス３５の前部に支持された状態で、上板部３１Ａとの間に空間を画成した状態で該上板部３１Ａに前方に配設されている。前記第１可動演出装置５０は、前記設置壁部３１に固定される固定ベース部材(固定部)５１を備え、この固定ベース部材５１の前側に第１装飾部材(装飾体)４０が配設されており、この第１装飾部材４０の前装飾部４２が前記表示窓口２８Ａに臨んでいる。第１装飾部材４０は、所定の意匠が形成された前装飾部４２の後側に、複数のＬＥＤを備えた照明装置４３が配設されており、この照明装置４３は前記統括制御装置により遊技内容に合わせて点灯・点滅制御され、前記前装飾部４２を後側から照明する。
【００２５】
前記設置壁部３１における右板部３１Ｃの前側には、図１および図２に示す縦長の第２可動演出装置１３０が配設されている。すなわち、前記右板部３１Ｃの前面における上端近傍および下端近傍には、前方へ突出した複数の第２取付ボス３６が形成されており、第２可動演出装置１３０は、その上端部分および下端部分を各第２取付ボス３６の前部に支持された状態で、右板部３１Ｃとの間に空間を画成した状態で該右板部３１Ｃに配設されている。そして第２可動演出装置１３０には、図２に示すように、第２装飾部材４５が配設されている。また、前記設置壁部３１における左板部３１Ｄの前側には、図１および図２に示す縦長の第３装飾部材４６が配設されている。すなわち、前記左板部３１Ｄの前面における上端近傍および下端近傍には、前方へ突出した複数の第３取付ボス３７が形成されており、第３装飾部材４６は、その上端部分および下端部分を各第３取付ボス３７の前部に支持された状態で、左板部３１Ｄとの間に空間を画成した状態で該左板部３１Ｄに配設されている。更に、前記設置壁部３１の前側には、前記第１可動演出装置５０、第２可動演出装置１３０および第３装飾部材４６の後側に形成された空間に、後述する第３可動演出装置１３５が配設されている。
【００２６】
(第１可動演出装置)
前記第１可動演出装置５０は、図４〜図６に示すように、前記設置部材３０の設置壁部３１における前記上板部３１Ａに固定され、前記図柄表示装置Ｈの前記表示部Ｈ１に臨む上板部３１Ａに配設される固定ベース部材５１と、前記固定ベース部材５１に配設され、前記図柄表示装置Ｈの遊技演出に合わせて昇降移動する第１演出部材６１と、前記第１演出部材６１と並んで前記固定ベース部材５１に配設されて、前記図柄表示装置Ｈの遊技演出に合わせて昇降移動する第２演出部材６２とを備えている。前記第１演出部材６１は、固定ベース部材５１において、該第１演出部材６１および前記第２演出部材６２の後方から外れた位置(実施例では左側)に配設されたステッピングモータ等の電動モータ(駆動手段)６３に、前記第１演出部材６１および該電動モータ６３に夫々連係された連係作動手段としての連係作動機構６４を介して連係されており、該電動モータ６３の駆動力により昇降移動するようになっている。また前記第２演出部材６２は、後述するように、前記第１演出部材６１に係脱可能に連係しており、該第１演出部材６１が下方へ移動する際には該第２演出部材６２の自重により下方へ移動すると共に、該第１演出部材６１が上方へ移動する際には該第１演出部材６１により押し上げられて上方へ移動するようになっている。なお、第１演出部材６１の昇降移動量と第２演出部材６２の昇降移動量は同じではなく、該第２演出部材６２の昇降移動量が該第１演出部材６１の昇降移動量より小さく設定されている。
【００２７】
(固定ベース部材)
前記固定ベース部材５１は、図４および図７に示すように、左右に長い前半体５１Ａと、この前半体５１Ａに後側から取り付けられる後半体５１Ｂとを有し、前半体５１Ａと後半体５１Ｂとを組み付けることで、内部に空間が画成されたケース部材として構成されている。そして固定ベース部材５１は、図６および図７に示すように、内部空間における左右方向の略中央に、前記第１演出部材６１および第２演出部材６２を昇降可能に支持する板状の支持部材６５が配設されている。この支持部材６５には、前記第１演出部材６１を昇降可能に支持する第１支持部６６と、前記第２演出部材６２を昇降可能に支持する第２支持部６７とが、左右に並んで設けられる。そして、前記支持部材６５は、前記固定ベース部材５１の内部において、前記前半体５１Ａの前板と後半体５１Ｂの後板との間に垂直に配設され、該支持部材６５の前側に前配設空間６８が画成されると共に、該支持部材６５の後側に後配設空間６９が画成されている(図１１、図１２参照)。また固定ベース部材５１の内部における左側には、前記電動モータ６３および連係作動機構６４を配設する機構配設部７０が設けられている。
【００２８】
(第１支持部および第２支持部)
前記第１支持部６６は、図６〜図８に示すように、前記支持部材６５に前後に開口するように設けられ、下方に行くにつれて左側へ徐々に変位する縦長の第１固定ガイド溝(第１固定案内部)７１と、該支持部材６５の後側における前記第１固定ガイド溝７１の下端より下方において、後方に突出した回転支軸に回転自在に配設された回転体としての第１固定ガイドローラ(第２固定案内部)７２とを備えている。そして、前記支持部材６５の後面には、前記第１固定ガイド溝７１を挟んだ左右両側に、後方へ突出すると共に該第１固定ガイド溝７１と平行に延在する第１ガイド突片７３,７３が設けられている。また前記第２支持部６７は、前記支持部材６５に前後に開口するように設けられ、下方に行くにつれて左側へ徐々に変位する縦長の第２固定ガイド溝(第３固定案内部)７５と、該支持部材６５の後側における前記第２固定ガイド溝７５の下端より下方において、後方に突出した回転支軸に回転自在に配設された回転体としての第２固定ガイドローラ(第４固定案内部)７６とを備えている。そして、前記支持部材６５の後面には、前記第２固定ガイド溝７５を挟んだ左右両側に、後方へ突出すると共に該第２固定ガイド溝７５と平行に延在する第２ガイド突片７７,７７が設けられている。なお、前記第２固定ガイド溝７５の長さは前記第１固定ガイド溝７１の長さの約１／２に設定され、前記第２ガイド突片７７の長さは前記第１ガイド突片７３の長さの約１／２に設定されている。
【００２９】
(第１演出部材)
前記第１演出部材６１は、図４〜図８および図１１に示すように、前記固定ベース部材５１に配設した支持部材６５に設けた前記第１支持部６６に支持されて昇降移動が可能な第１昇降体８０と、この第１昇降体８０に支持されて前記前装飾部４２の前方において昇降移動が可能な第１演出体８１とを備えている。第１昇降体８０は、上下に長い板状を呈して、前記後配設空間６９に下方から挿入された昇降板部８２と、この昇降板部８２の下部から前方へ突出して前記第１装飾部材４０の下方に位置する取付部８３とからなり、側方から見て略Ｌ字形を呈している。前記昇降板部８２には、縦長の第１移動ガイド溝(第１移動案内部)８４が設けられると共に、前方に軸心を向けた回転支軸に回転自在に配設された回転体としての第１移動ガイドローラ(第２移動案内部)８５が、前記第１移動ガイド溝８４の上端より上方に設けられている。前記第１移動ガイド溝８４の長手方向の長さは前記第１固定ガイド溝７１長手方向の長さと同じに設定されている。
【００３０】
そして、図７に示すように、前記第１固定ガイドローラ７２が、昇降板部８２に設けた第１移動ガイド溝８４に対し後方から挿通して前記支持部材６５の後側に取付けられると共に、第１移動ガイドローラ８５が、支持部材６５に設けた第１固定ガイド溝７１に対し前方から挿通して前記昇降板部８２の前側に取付けられることで、第１昇降体８０は、第１装飾部材４０の第１支持部６６に安定的に支持されている。なお、図６および図８に示すように、前記第１固定ガイドローラ７２の外周後端には、前記第１移動ガイド溝８４の短手方向開口幅より大径のリブが形成されていると共に、前記第１移動ガイドローラ８５の外周前端には、前記第１固定ガイド溝７１の短手方向開口幅より大径のリブが形成されており、支持部材６５に対して第１昇降体８０が後方へ移動することが防止されている。従って、前記第１固定ガイドローラ７２が前記第１移動ガイド溝８４に沿って転動して該第１移動ガイド溝８４に対して相対的に移動すると共に、前記第１移動ガイドローラ８５が前記第１固定ガイド溝７１に沿って転動して該第１固定ガイド溝７１に対して相対的に移動することで、第１昇降体８０は、第１支持部６６に適切に支持された状態で、前記第１移動ガイド溝８４および第１固定ガイド溝７１の延在方向に沿って昇降移動する。
【００３１】
ここで、前記第１演出部材６１は、前記表示開口３４から上方へ退避して前記第１装飾部材４０の前装飾部４２の前方に位置する退避位置(第１退避位置)と、前記表示開口３４の前方に位置する移動位置(第１移動位置)との間を昇降移動するようになっている。そして、前記第１演出部材６１の前記第１退避位置においては、前記第１固定ガイドローラ７２が前記第１移動ガイド溝８４の下端に到来すると共に、前記第１移動ガイドローラ８５が前記第１固定ガイド溝７１の上端に到来するようになっている。また、前記第１演出部材６１の前記第１移動位置においては、前記第１固定ガイドローラ７２が前記第１移動ガイド溝８４の上端に到来すると共に、前記第１移動ガイドローラ８５が前記第１固定ガイド溝７１の下端に到来するようになっている。すなわち、第１固定ガイド溝７１の下端７１Ａが規制部として機能すると共に、第１移動ガイドローラ８５が該下端７１Ａに上方から当接する被規制部として機能して、第１移動ガイドローラ８５が第１固定ガイド溝７１の下端７１Ａに上方から当接することで、第１演出部材６１が第１移動位置に保持されるようになっている。なお、第１固定ガイドローラ７２を被規制部とすると共に、第１移動ガイド溝８４の上端を規制部として機能させるようにしてもよい。
【００３２】
前記第１演出体８１は、図４、図５、図７〜図９および図１１に示すように、前記第１昇降体８０の取付部８３の前端に固定される支持部材８６と、前面に所定のデザインが施されて前記支持部材８６の前側に装着される演出部材８７とを備え、これら支持部材８６と演出部材８７との間に、図柄表示装置Ｈの表示部Ｈ１の演出内容に合わせて点灯・消灯制御されるＬＥＤ基板からなる照明装置(図示せず)が配設されている。そして第１演出体８１は、前記支持部材８６の後側下部を前記第１昇降体８０の取付部８３の前端にネジ等で固定することで、前記第１装飾部材４０の前装飾部４２の前側に略垂直に起立した状態で配設され、第１昇降体８０の昇降移動に連動して昇降移動するように構成されている。
【００３３】
前記固定ベース部材５１の前側(前記第１装飾部材４０の前装飾部４２)には、図４、図５および図７等に示すように、前記第１演出体８１の演出部材８７の左方に設けたガイドバー(第５移動案内部、別の移動案内部)８９が摺動可能に係合する第１ガイドレール(第５固定案内部、別の固定案内部)５５が設けられている。これらガイドバー８９の傾斜角度および第１ガイドレール５５の傾斜角度は、前記第１固定ガイド溝７１の傾斜角度と同じに設定されている。前記第１ガイドレール５５は、図１３(ａ)に概略的に示すように、ガイドバー８９の摺動方向と交差する短手方向の断面形状が略矩形をなして摺動方向に沿って延在する内部空間が画成されており、該内部空間を囲むように摺動方向へ延在する前壁部５５Ａ、後壁部５５Ｂ、左壁部５５Ｃおよび右壁部５５Ｄを備えている。そして、第１演出体８１に隣接する前記右壁部５５Ｄには、摺動方向に沿って延在するスリット５５Ｅが形成されており、該右壁部５５Ｄは、該スリット５５Ｅを挟んで前後に分離している。また前記ガイドバー８９は、図１３(ａ)に示すように、第１演出体８１から第１ガイドレール５５側へ延出して前記スリット５５Ｅへ挿通される基部８９Ａと、この基部８９Ａより前後に幅広に形成されて前記第１ガイドレール５５の内部空間内に位置する係止突部８９Ｂとを備えている。前記ガイドバー８９の係止突部８９Ｂの前後幅Ｗ１は、前記スリット５５Ｅの前後幅Ｗ２より大きく設定されると共に、前記内部空間の前後幅Ｗ３より僅かに小さく設定されている。従ってガイドバー８９は、係止突部８９Ｂが前記右壁部５５Ｄに当接することで右方への移動が規制されると共に、該係止突部８９Ｂが前記前壁部５５Ａおよび後壁部５５Ｂに当接することで前後への移動が規制された状態で、第１ガイドレール５５に対して摺動するよう構成されている。従って、第１演出部材６１の昇降移動に伴って前記第１演出体８１が固定ベース部材５１(第１装飾部材４０)の前方を昇降移動する際に、前記ガイドバー８９が右方および前後への移動が規制されながら前記第１ガイドレール５５に沿って摺動可能になり、該第１演出体８１が第２演出部材６２の第２演出体９１に接触することを防止し得ると共に、該第１演出体８１が第１装飾部材４０の前装飾部４２に接触することが防止されるようになっている。
【００３４】
(第２演出部材)
前記第２演出部材６２は、図４〜図８および図１２に示すように、基本的な構成は前記第１演出部材６１と同じである。すなわち第２演出部材６２は、前記固定ベース部材５１に配設した前記支持部材６５に設けた前記第２支持部６７に支持されて昇降移動が可能な第２昇降体９０と、この第２昇降体９０に支持されて前記前装飾部４２の前方において昇降移動が可能な第２演出体９１とを備えている。第２昇降体９０は、上下に長い板状を呈して、前記後配設空間６９に下方から挿入された昇降板部９２と、この昇降板部９２の下部から前方へ突出して前記第１装飾部材４０の下方に位置する取付部９３とからなり、側方から見て略Ｌ字形を呈している。前記昇降板部９２には、縦長の第２移動ガイド溝(第３移動案内部)９４が設けられると共に、前方に軸心を向けた回転支軸に回転自在に配設された回転体としての第２移動ガイドローラ(第４移動案内部)９５が、前記第２移動ガイド溝９４の上端より上方に設けられている。前記第２移動ガイド溝９４の長手方向の長さは前記第２固定ガイド溝７５の長手方向の長さと同じに設定されている
【００３５】
そして、図７に示すように、第２固定ガイドローラ７６が、昇降板部９２に設けた第２移動ガイド溝９４に対し後方から挿通して前記支持部材６５の後側に取付けられると共に、第２移動ガイドローラ９５が、前記支持部材６５に設けた第２固定ガイド溝７５に対し前方から挿通して前記昇降板部９２の前側に取付けられることで、第２昇降体９０は、第１装飾部材４０の第２支持部６７に安定的に支持されている。なお、図６および図８に示すように、前記第２固定ガイドローラ７６の外周後端には、前記第２移動ガイド溝９４の短手方向開口幅より大径のリブが形成されていると共に、前記第２移動ガイドローラ９５の外周前端には、前記第２固定ガイド溝７５の短手方向開口幅より大径のリブが形成されており、支持部材６５に対して第２昇降体９０が後方へ移動することが防止されている。従って、前記第２固定ガイドローラ７６が前記第２移動ガイド溝９４に沿って転動して該第２移動ガイド溝９４に対して相対的に移動すると共に、前記第２移動ガイドローラ９５が前記第２固定ガイド溝７５に沿って転動して該第２固定ガイド溝７５に対して相対的に移動することで、第２昇降体９０は、第２支持部６７に適切に支持された状態で、前記第２移動ガイド溝９４および第２固定ガイド溝７５の延在方向に沿って昇降移動する。
【００３６】
ここで、前記第２演出部材６２は、前記表示開口３４から上方へ退避して前記第１装飾部材４０の前装飾部４２の前方に位置する退避位置(第２退避位置)と、前記表示開口３４の前方に位置する移動位置(第２移動位置)との間を昇降移動するようになっている。そして、前記第２演出部材６２の前記第２退避位置においては、前記第２固定ガイドローラ７６が前記第２移動ガイド溝９４の下端に到来すると共に、前記第２移動ガイドローラ９５が前記第２固定ガイド溝７５の上端に到来するようになっている。また、前記第２演出部材６２の前記第２移動位置においては、前記第２固定ガイドローラ７６が前記第２移動ガイド溝９４の上端に到来すると共に、前記第２移動ガイドローラ９５が前記第２固定ガイド溝７５の下端に到来するようになっている。すなわち、第２固定ガイド溝７５の下端７５Ａが規制部として機能すると共に、第２移動ガイドローラ９５が該下端７５Ａに上方から当接する被規制部として機能して、第２移動ガイドローラ９５が第２固定ガイド溝７５の下端７５Ａに上方から当接することで、第２演出部材６２が第２移動位置に保持されるようになっている。なお、第２固定ガイドローラ７２６被規制部とすると共に、第２移動ガイド溝９４の上端を規制部として機能させるようにしてもよい。
【００３７】
前記第２演出体９１は、図４、図５、図７〜図９および図１２に示すように、前記第２昇降体９０の取付部９３の前端に固定される支持部材９６と、前面に所定のデザインが施されて前記支持部材９６の前側に装着される演出部材９７とを備え、これら支持部材９６と演出部材９７との間に、図柄表示装置Ｈの表示部Ｈ１の演出内容に合わせて点灯・消灯制御されるＬＥＤ基板を備えた照明装置(図示せず)が配設されている。そして第２演出体９１は、前記支持部材９６の後側下部を前記第２昇降体９０の取付部９３の前端にネジ等で固定することで、前記第１装飾部材４０の前側に略垂直に起立した状態で配設され、第２昇降体９０の昇降移動に連動して昇降移動するように構成されている。
【００３８】
前記固定ベース部材５１の前側(前記第１装飾部材４０の前装飾部４２)には、図４、図５および図７に示すように、前記第２演出体９１の演出部材９７の左部に設けたガイド片(第６移動案内部)９９が摺動可能に係合する第２ガイドレール(第６固定案内部)５６が設けられている。第２ガイドレール５６の傾斜角度は、前記第２固定ガイド溝７５の傾斜角度と同じに設定されている。前記第２ガイドレール５６は、図１３(ｂ)に概略的に示すように、ガイドバー８９の摺動方向と交差する短手方向の断面形状が略Ｌ形をなし、前装飾部４２から前側へ離間して摺動方向へ延在する前壁部５６Ａと、前壁部５６Ａと前装飾部４２との間で摺動方向へ延在する左壁部５６Ｂとを備え、前壁部５６Ａと前装飾部４２との間に、右方へ開放した空間を画成している。また前記ガイド片９９は、図１３(ｂ)に示すように、第２演出体９１の後側から第２ガイドレール５５側へ延出して、該第２ガイドレール５５の前壁部５６Ａの後側へ右方から延出する係止片９９Ａと、この係止片９９Ａの左端に形成された当接面９９Ｂとを備えている。そしてガイド片９９は、係止片９９Ａの前面が前記第２ガイドレール５６の前壁部５６Ａに後方から当接することで前方への移動が規制されると共に、前記当接面９９Ｂが該第２ガイドレール５６の左壁部５６Ｂに当接することで左方への移動が規制された状態で、該第２ガイドレール５６に対して摺動するよう構成されている。従って、第２演出部材６２の昇降移動に伴って前記第２演出体９１が固定ベース部材５１(第１装飾部材４０)の前方を昇降移動する際に、前記ガイド片９９が左方および前方への移動が規制されながら前記第２ガイドレール５６に沿って摺動可能になり、該第２演出体９１が前記第１演出部材６１の第１演出体９１に接触することを防止し得るようになっている。
【００３９】
実施例の第１可動演出装置５０は、前記第１演出部材６１が第１退避位置にあると共に第２演出部材６２が第２退避位置にある場合においては、該第１演出部材６１の第１演出体８１および該第２演出部材６２の第１演出体８１が左右方向で整列して、該第１演出体８１の演出部材８７の前面に形成されたデザインと該第２演出体９１の演出部材９７の前面に形成されたデザインとが一体となって１つの大きなデザインを構成した状態となる(図４、図６参照)。また、第２演出部材６１の移動量が第１演出部材６２の移動量の１／２程度となっていることで、第１演出部材６１が第１移動位置にあると共に第２演出部材６２が第２移動位置にある場合においては、第１演出部材６１の第１演出体８１が第２演出部材６２の第２演出体９１より下方に位置するようになる(図９、図１０参照)。
【００４０】
(第１演出部材と第２演出部材との連係構造)
前記第１演出部材６１は、図６および１０に示すように、前記第１昇降体８０の昇降板部８２に、第２演出部材６２における第２昇降体９０の昇降板部９２側へ突出する第１当接部(被当接部)１００が設けられている。一方、前記第２演出部材６２は、前記第２昇降体９０の昇降板部９２に、第１演出部材６１における第１昇降体８０の昇降板部８２側へ突出する第２当接部(当接部)１０１が設けられている。前記第１当接部１００は前記昇降板部８２に一体的に形成されていると共に、前記第２当接部１０１は前記昇降板部９２に一体的に形成されている。前記第２当接部１０１は、第１演出部材６１が第１退避位置にあると共に第２演出部材６２が第２退避位置にある場合において、前記第１当接部１００に対して上方から当接する位置に形成されている。従って前記第２演出部材６２は、前記第２後退位置から前記第２移動位置までの間では、前記第１当接部１００に第２当接部１０１が上方から当接することで前記第１演出部材６１に連動して昇降移動し、前記第２移動位置まで移動した以降は、前記第１移動ガイドローラ８５が第１固定ガイド溝７１の下端７１Ａに当接すると共に第１当接部１００が第２当接部１０１から離間することで、該第２演出部材６２は第２移動位置に保持されるようになっている。すなわち、第２演出部材６２が第２演出位置に保持された以降は、第１演出部材６１だけが第１移動位置まで移動するよう構成されている。
【００４１】
なお、前記第１当接部１００には、図６、図８および図１０に示すように、前方へ水平に延出する連係ローラ１０２が突設されていると共に、前記支持部材６５における第１支持部６６と第２支持部６７の間には、該連係ローラ１０２が貫通すると共に上下に移動が可能なスリット１０３が形成されている。前記連係ローラ１０２は、前記スリット１０３を介して前記前配設空間６８へ突出しており、後述するレバー体１１０の第２レバー部１１２に形成されて第２係合孔１１８に後方から係合している。
【００４２】
(駆動手段)
駆動手段としての前記電動モータ６３は、図４(ａ)、図５および図６等に示すように、前記第１装飾部材４０の固定ベース部材５１における後半体５１Ｂの後側外面において、該固定ベース部材５１の左端部に隣接した部位の後側に固定され、駆動軸６３Ａを固定ベース部材５１内へ延出させて機構配設部７０に臨ませている。前記電動モータ６３は、例えば正逆回転が可能なステッピングモータ等の電動モータであり、減速用のギアボックス６３Ｂを備えている。そして電動モータ６３は、前述した統括制御装置により駆動制御される。なお駆動手段としては、前記電動モータに限らず、流体を使用するアクチュエータや、ロータリーソレノイド等であってもよい。
【００４３】
(連係作動機構)
前記連係作動機構６４は、図６、図７および図１０に示すように、前記機構配設部７０に水平前方に突出するように設けた回転支軸(回転支点)１０４に回転自在に支持されたレバー体１００を備えている。前記レバー体１００は、回転支軸１０４を挟んで左方向(図６、図１０では右方向)へ延出する第１レバー部１１１と、該回転支軸１０４を挟んで右方向へ延出する第２レバー部１１２とを備えている。また、前記機構配設部７０には、前記電動モータ６３の出力軸６３Ａに固定した駆動ギア１１３に噛合する中間ギア１１４と、この中間ギア１１４の右側に配設されて該中間ギア１１４に噛合する従動ギア１１５とからなるギアトレインが配設されており、電動モータ６３が回転することで駆動ギア１１３および中間ギア１１４を介して従動ギア１１５が回転するように構成されている。前記従動ギア１１５は、回転中心から半径方向へ離間した前端面に、前方へ突出した連結ピン１１６が配設されている。そして、前記レバー体１００の第１レバー部１１１は前記従動ギア１１５の前側へ延出しており、該第１レバー部１１１の先端部(一方の端部)１１１Ａには、該第１レバー部１１１の長手方向へ延在する長孔状の第１係合孔１１７が形成されており、前記連結ピン１１６が後方から遊嵌状態で該第１係合孔１１７に係合している。従って、従動ギア１１５が回転すると、第１係合孔１１７に係合した前記連結ピン１１６が円弧軌道に沿って上下へ移動することで、前記レバー体１００が前記回転支軸１０４を中心として揺動するようになっている。
【００４４】
前記レバー体１００の第２レバー部１１２は、図６および図１０に示すように、前記前配設空間６８へ延出して第２支持部６７の前方近くまで延出している。そして第２レバー部１１２の先端部(他方の端部)１１２Ａ側には、該第２レバー部１１２の長手方向へ延在する長孔状の第２係合孔１１８が形成されており、前記第１演出部材６１に設けた前記連係ローラ１０２が後方から遊嵌状態で該第２係合孔１１８に係合している。従って、前記レバー体１００が前記回転支軸１０４を中心として揺動して第２レバー部１１２が上下に移動することで、第２係合孔１１８に係合した前記連係ローラ１０２が上下に移動するようになり、前記第１演出部材６１が前記第１退避位置と第１移動位置との間を昇降移動するようになっている。なお、前記回転支軸１０４には、前記固定ベース部材５１と前記レバー体１００とに各レバー部が夫々掛止された捻りバネ１０５が配設されている。この捻りバネ１０５は、第２レバー部１１２の先端を上方へ押し上げる方向にレバー体１００を弾力的に付勢しており、前記電動モータ６３の作動負荷を軽減するようになっている。
【００４５】
(その他の構成)
前記第１演出部材６１の第１昇降体８０および第２演出部材６２の第２昇降体９０が、前述したように、下方に行くにつれて左側へ変位するよう傾斜した構成となっているため、図６、図８および図１０に示すように、支持部材６５における後面には、上下に離間して２つの第１支持ローラ１２０,１２０が、前後方向に軸心が延在する支持軸を中心として回転可能に配設される。また、第２演出部材６２における第２昇降体９０の昇降板部９２の右端面には、各第１支持ローラ１２０が当接して転動可能な第１転動面１２１が上下方向に延在するように形成されている。従って、第２演出部材６２の第２昇降体９０は、取付部９３に固定した前記第２演出体９１の重みにより下側が右方向へ変位する力が作用しても各第１支持ローラ１２０で支持されているため、第２退避位置と第２移動位置との間を一定の姿勢で安定的かつ直線的に昇降移動するようになっている。
【００４６】
また、図６、図８および図１０に示すように、前記第２演出部材６２の第２昇降体９０における前記取付部９３の左部には、前記第１演出部材６２の第１昇降体９０側へ転動面を突出させた１つの第２支持ローラ(第２ガイド部)１２２が、水平前後方向に軸心が延在する支持軸を中心として回転可能に配設される。そして、第１演出部材６１における第１昇降体８０の昇降板部８２の右端には、前記第２支持ローラ１２２が当接して転動可能な第２転動面(第１ガイド部)１２３が上下方向に延在するように形成されている。従って、第１演出部材６１の第１昇降体８０は、取付部８３に固定した前記第１演出体８１の重みにより下側が右方向へ変位する力が作用しても前記第２支持ローラ１２２で支持されているため、第１演出部材６１は第１退避位置と第１移動位置との間を適切な姿勢で安定的かつ直線的に昇降移動するようになっている。
【００４７】
(第２可動演出装置)
第２可動演出装置１３０は、図２に示すように、前記設置壁部３１に固定される固定ベース部材(図示せず)と、この固定ベース部材に枢支された揺動部材１３１と、該揺動部材１３１の上端側に回転可能に配設された回転部材１３２とを備えると共に、図示省略したリンク機構および電動モータからなる駆動機構とを備えている。そして第２可動演出装置１３０は、前記駆動機構の駆動により揺動部材１３１が揺動変位して、前記第２装飾部材４５の前側に重なった退避位置と、前記表示開口３４へ延出して前記表示部Ｈ１の前側に位置する移動位置との間を回転変位するように構成されている。
【００４８】
(第３可動演出装置)
前記第３可動演出装置１３５は、図３に示すように、前記設置部材３０の設置壁部３１の前面において、前記表示開口３４の周囲に設けられた３つの演出機構１３６,１３６,１３６を備え、各演出機構１３６,１３６,１３６で該表示開口３４を円形に囲繞した状態に配設されている(図３では、左下に配設した１つの演出機構１３６は、第３装飾部材４６により殆ど隠れている)。各演出機構１３６は、基本的構成が同じであり、表示開口３４の外側に形成されて円形のガイド部に沿ってスライド移動する円弧状のスライド板１３７と、設置壁部３１から前方へ突出した複数の支持部１４３の各々に回転自在に配設された複数(実施例では３個)の回転演出部材１３８と、前記スライド板１３７をガイド部１４２に沿って往復移動させる駆動機構１３９とを備えている。従って、駆動機構１３９により前記スライド板１３７を円弧状に往復移動させることで、各回転演出部材１３８は、前記表示開口３４から退避して前記ガイド部１４２の前側に位置する退避位置(図４参照)と、前記表示開口３４へ演出して前記表示部Ｈ１の前側に位置する移動位置との間を回転移動するように構成されている。
【００４９】
(実施例の作用)
前述のように構成された実施例のパチンコ機Ｐでは、前記遊技盤Ｄの遊技領域１０へ打ち出されたパチンコ球が前記始動入賞装置２０の始動入賞口２０Ａに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示部Ｈ１において図柄変動演出を行なわせる。そして主制御装置は、前記大当たり抽選の結果として大当たりが発生すると、前記統括制御装置を介して図柄表示装置Ｈの表示部Ｈ１に所定の図柄組合わせで図柄を停止表示させ、前記特別入賞装置２１の開閉扉２１Ａを開放動作させて入賞口を開放させる。
【００５０】
また前記統括制御装置は、前記主制御装置からの制御信号に基づき、前記第１可動演出装置５０、第２可動演出装置１３０および第３可動演出装置１３５等を、前記図柄表示装置Ｈの表示部Ｈ１での遊技内容に合わせて総合的に作動制御する。すなわち統括制御装置は、前記図柄表示装置Ｈの表示部Ｈ１での遊技内容に基づき、前記第１〜第３の各可動演出装置５０,１３０,１３５の何れかを単独で作動させたり、各可動演出装置５０,１３０,１３５を同時または同期的に作動させる。
【００５１】
前記第１可動演出部材５０では、前記電動モータ６３の駆動制御前においては、図１、図２、図４および図６に示すように、前記連係作動機構６４を介して該電動モータ６３と連係している前記第１演出部材６１は第１退避位置に保持されていると共に、該第１演出部材６１に連係した前記第２演出部材６２は第２退避位置に保持されている。すなわち、第１退避位置に保持された第１演出部材６１および第２退避位置に保持された第２演出部材６２は、図柄表示装置Ｈの表示部Ｈ１の前側から退避した状態で互いに整列して、第１演出体８１の演出部材８７の前面に形成されたデザインと第２演出体９１の演出部材９７の前面に形成されたデザインとが１つの大きなデザインとして視認される。
【００５２】
そして、前記電動モータ６３が駆動制御されると、前記連係作動機構６４のレバー体１１０が揺動することで、第１退避位置に停止していた第１演出部材６１は第１移動位置に向けて下方へ移動するようになる。また前記第２演出部材６２は、前記第１演出部材６１の下方への移動に追従して、第２退避位置から第２移動位置に向けて下方へ移動するようになる。すなわち第１演出部材６１および第２演出部材６２は、該第２演出部材６２が第２移動位置に到達するまでは一体的に下方へ移動するようになり、左右幅が大きな単一の演出部材が下方へ移動するように見えるので、演出効果を好適に向上させることができる。
【００５３】
前記第２演出部材６２が第２移動位置まで到達すると、該第２演出部材６２は該第２移動位置に停止保持され、以降は前記電動モータ６３の駆動に伴い、昇降移動量が大きく設定された第１演出部材６１だけが下方へ移動する。そして、第１演出部材６１が第１移動位置に到達すると、図示省略した位置検出手段がこれを認識することで、前記電動モータ６３が停止制御される。従って、図９〜図１２に示すように、第１演出部材６１が第１移動位置に停止すると共に第２演出部材６２が第２移動位置に停止した状態では、第２演出部材６２より第１演出部材６１が下方に位置するようになる。
【００５４】
一方、第１演出部材６１が第１移動位置に停止すると共に第２演出部材６２が第２移動位置に停止した状態で前記電動モータ６３を逆駆動制御すると、先ず第１演出部材６１だけが前記第１退避位置に向けて上方へ移動する。そして、第１演出部材６１が第２移動位置に停止保持されていた第２演出部材６２と左右で整列すると、該第１演出部材６１と第２演出部材６２とが連係した状態となるから、該第１演出部材６１の上方への移動に追従して第２演出部材６２も上方へ移動するようになり、両演出部材６１,６２は整列した状態で第１退避位置および第２退避位置まで上昇する。
【００５５】
前述のように構成された実施例のパチンコ機Ｐによれば、第１可動演出装置５０が、電動モータ６３で連係作動機構６４を作動させることで、第１演出部材６１が図柄表示装置Ｈの表示部Ｈ１の上方に退避した第１退避位置および該表示部Ｈ１の前方に臨む第１移動位置の間を昇降移動すると共に、第１演出部材６１に係脱可能に係合する第２演出部材６２が、この第１演出部材６１に連動して図柄表示装置Ｈの表示部Ｈ１の上方に退避した第２退避位置および該表示部Ｈ１の前方に臨む第２移動位置の間を、該第１演出部材６１より小さい昇降移動量で昇降移動するようになるから、昇降移動量が異なる２つの演出部材６１,６２が連動することで表示部Ｈ１の図柄変動に合わせた演出効果を高めることができる。そして第１可動演出装置５０は、電動モータ６３が第１演出部材６１および第２演出部材６２の後方から外れた位置に配設されているから、図５に示すように、該第１可動演出装置５０の前後サイズを小さく抑えて小型化を図り得る。また、第１演出部材６１と電動モータ６３とが連係作動機構６４のレバー体１１０を介して連係されているので、該レバー体１１０の動作範囲を大きくすることができるから、これにより第１演出部材６１および第２演出部材６２の移動量を大きくして演出効果を高めることが可能である。
【００５６】
また、前記連係作動機構６４におけるレバー体１１０を、第１レバー部１１１の回転支軸１０４から第１連係ピン１１６までの長さに対して、第２レバー部１１２の該回転支軸１０４から第２連係ピン１０２までの長さを大きく設定することで、所謂レバー比が大きくなって該第２レバー部１１２の端部側の移動量を大きくすることができる。これにより、レバー体１１０の第２レバー部１１２の第２係合孔１１８に連結された第１演出部材６１の移動量を大きく確保することができると共に、該第１演出部材６１に連動する第２演出部材６２の移動量も大きく確保することができ、演出効果を好適に向上することができる。
【００５７】
また、昇降移動量が異なる第１演出部材６１と第２演出部材６２とが係脱可能に係合するようになっているから、該第１演出部材６１および該第２演出部材６２が連動して昇降移動する演出態様と、該第２演出部材６２が停止して該第１演出部材６１だけが昇降移動する演出態様とが発現されるから、演出が多様化されて演出効果を好適に高めることができる。そして、第１演出部材６２に設けた第２支持ローラ１２２と第１演出部材６１に設けた第２転動面１２３とが両演出部材６１,６２の近接方向で常に係合しているので、第１演出部材６１および第２演出部材６２は一定の間隔に保持されたもとで昇降移動するようになる。これにより、第１演出部材６１の第１昇降体８０および第２演出部材６２の第２昇降体９０が、互いが対向する側面全体で接触することが防止されるので両演出部材６１,６２の移動不良の発生を防止し得ると共に、第１演出部材６１が姿勢を保持された状態で適切に昇降移動するようになる。
【００５８】
そして、第１演出部材６１に設けた第１移動ガイド溝８４と固定ベース部材５１に設けた第１固定ガイドローラ７２とが当接すると共に、該第１演出部材６１に設けた第１移動ガイドローラ８５と該固定ベース部材５１に設けた第１固定ガイド溝７１とが当接することで、第１演出部材６１は２カ所で固定ベース部材５１に支持されながら安定して移動するようになる。これにより、第１演出部材６１が移動するに際してがたつきが発生することを防止することができると共に、該第１演出部材６１と第１装飾部材４０との接触による異音の発生や該演出部材の破損等を防止することができ、第１演出部材６１による演出効果の向上を図ることができる。しかも、第１演出部材６１に設けた第１移動ガイドローラ８５が固定ベース部材５１に設けた第１固定ガイド溝７１を転動すると共に、固定ベース部材５１に設けた第１固定ガイドローラ７２が第１演出部材６１に設けた第１移動ガイド溝８４を転動することで、固定ベース部材５１に対して第１演出部材６１をスムーズに移動させることができる。
【００５９】
また、第２演出部材６２に設けた第２移動ガイド溝９４と固定ベース部材５１に設けた第２固定ガイドローラ７６とが当接すると共に、該第２演出部材６２に設けた第２移動ガイドローラ９５と該固定ベース部材５１に設けた第２固定ガイド溝７５とが当接することで、第２演出部材６２は２カ所で固定ベース部材５１に支持されながら安定して移動するようになる。これにより、第２演出部材６２が移動するに際してがたつきが発生することを防止することができると共に、該第２演出部材６２と第１装飾部材４０との接触による異音の発生や該演出部材の破損等を防止することができ、第２演出部材６２による演出効果の向上を図ることができる。しかも、第２演出部材６２に設けた第２移動ガイドローラ９５が固定ベース部材５１に設けた第１固定ガイド溝７５を転動すると共に、固定ベース部材５１に設けた第２固定ガイドローラ７６が第２演出部材６２に設けた第２移動ガイド溝９４を転動することで、固定ベース部材５１に対して第２演出部材６２をスムーズに移動させることができる。
【００６０】
また、固定ベース部材５１の前側(第１装飾部材４０の前装飾部４２)に設けた第１ガイドレール５５に、第１演出部材６１における第１装飾部材４０の前方に臨む第１演出体８１に設けたガイドバー８９が摺動可能に係合しているので、第１装飾部材４０に対して第１演出部材６１が移動する際に、第１演出体８１が前装飾部４２に支持されながら安定して移動するようになる。これにより、第１演出部材６１が移動するに際して第１演出体８１にがたつきが発生することを防止することができると共に、該第１演出体８１が前記第２演出部材６２の第２演出体９１側へ移動して該第２演出体９１に接触することが防止される。また、固定ベース部材５１の前側(第１装飾部材４０の前装飾部４２)に設けた第２ガイドレール５６に、第２演出部材６２における第１装飾部材４０の前方に臨む第２演出体９１に設けたガイド片９９が摺動可能に係合しているので、第１装飾部材４０に対して第２演出部材６２が移動する際に、第２演出体９１が前装飾部４２に支持されながら安定して移動するようになる。これにより、第２演出部材６２が移動するに際して第２演出体９１にがたつきが発生することを防止し得ると共に、該第２演出体９１が前記第１演出部材６１の第１演出体８１側へ移動して該第１演出体８１に接触することが防止される。従って、第１演出部材６１の第１演出体８１と第２演出部材６２の第２演出体９１との接触による異音の発生を防止し得ると共に、両演出体８１,９１の破損等も防止できる。
【００６１】
〔変更例〕
本発明に係る遊技機は、実施例に例示の形態に限らず種々の変更が可能である。
（１）駆動手段６３の配設位置は、実施例で例示した位置に限定されず、第１演出部材６１および第２演出部材６２の後方から外れた位置であればどこでもよい。
（２）連係作動手段６４は、実施例に例示したレバー体１１０および各ギア１１３,１１４,１１５からなるギアトレインから構成されるものに限らず、例えばチェンとスプロケットからなる作動機構、ベルトまたはワイヤとプーリとからなる作動機構等であってもよい。
（３）第１演出部材６１および第２演出部材６２は、左右に隣接して配設される形態に限らず、上下に隣接して配設される形態、前後に隣接して配設される形態であってもよい。また、第１演出部材６１および第２演出部材６２の配設位置は、図柄表示装置Ｈの上方に限らず、該図柄表示装置Ｈの下方に配設されて表示部Ｈ１の前側に下方から移動する形態、該図柄表示装置Ｈの左方に配設されて表示部Ｈ１の前側に左方から移動する動態、該図柄表示装置Ｈの右方に配設されて表示部Ｈ１の前側に右方から移動する形態等であってもよい。
（４）第１演出部材６１および第２演出部材６２は、異なる方向へ移動する形態であってもよい。
（５）第１演出部材６１および第２演出部材６２は、実施例のように斜めに移動するものに限らず、垂直に移動する形態や、水平に移動する形態であってもよい。
（６）第１演出部材６１を第１退避位置および第１移動位置に停止させる構成および第２演出部材６２を第２退避位置および第２移動位置に停止させる構成は、実施例で例示したガイド溝の端部にガイドローラを当接させる形態に限らず、次のような構成であってもよい。
（ａ）第１演出部材６１においては、第１昇降体８０に設けた第１当接部１００を当接部とし、第１装飾部材４０の固定ベース部材５１に前記第１当接部１００が第１退避位置および第１移動位置で夫々当接する被当接部を設けると共に、第２演出部材６２においては、第２昇降体９０に設けた第２当接部１０１を当接部とし、第１装飾部材４０の固定ベース部材５１に前記第２当接部１０１が第２退避位置および第２移動位置で夫々当接する被当接部を設ける。
（ｂ）第１演出部材６１においては、第１演出体８１に設けたガイドバー８９を当接部とし、第１装飾部材４０の前装飾部４２に前記ガイドバー８９が第１退避位置および第１移動位置で夫々当接する被当接部を設けると共に、第２演出体８２に設けたガイド片９９を当接部とし、第１装飾部材４０の前装飾部４２に前記ガイド片９９が第２退避位置および第２移動位置で夫々当接する被当接部を設ける。
（ｃ）第１演出部材６１においては、第１昇降体８０に別途当接部を設け、第１装飾部材４０の固定ベース部材５１に該当接部が第１退避位置および第１移動位置で夫々当接する被当接部を設けると共に、第２演出部材６２においては、第２昇降体９０に別途当接部を設け、第１装飾部材４０の固定ベース部材５１に該当接部が第２退避位置および第２移動位置で夫々当接する被当接部を設ける。
なお、第１演出部材６１および第２演出部材６２においては、前記取付部８３,９３を各々当接部として、第１装飾部材４０の前装飾部４２の下縁を、退避位置において該当接部が当接する被当接部としてもよい。
（７）第２装飾部材６１は、実施例では第２退避位置から第２移動位置に向けて自重で移動する形態を例示したが、バネや付勢手段で付勢させて第２退避位置から第２移動位置へ移動するものであってもよい。
（８）実施例では、遊技機としてのパチンコ機を示したが、遊技機はパチンコ機に限られるものではなく、アレンジボール機等であってもよい。
【符号の説明】
【００６２】
４０ 第１装飾部材(装飾体)，５１ 固定ベース部材(固定部)
５５ 第１ガイドレール(第５固定案内部、別の固定案内部)
５６ 第２ガイドレール(第６固定案内部)，６１ 第１演出部材(演出部材)
６２ 第２演出部材，７１ 第１固定ガイド溝(第１固定案内部)
７２ 第１固定ガイドローラ(第２固定案内部)，７５ 第２固定ガイド溝(第３固定案内部)
７６ 第２固定ガイドローラ(第４固定案内部)，８４ 第１移動ガイド溝(第１移動案内部)
８５ 第１移動ガイドローラ(第２移動案内部)
８９ ガイドバー(第５移動案内部、別の移動案内部)
９１ 第２演出体，９４ 第２移動ガイド溝(第３移動案内部)
９５ 第２移動ガイドローラ(第４移動案内部)，９９ ガイド片(第６移動案内部)
１２２ 第２支持ローラ(当接部)，１２３ 第２転動面(被当接部)，Ｈ 図柄表示装置
Ｈ１ 表示部
【図１】
0005681613.tif 000002
【図２】
0005681613.tif 000003
【図３】
0005681613.tif 000004
【図４】
0005681613.tif 000005
【図５】
0005681613.tif 000006
【図６】
0005681613.tif 000007
【図７】
0005681613.tif 000008
【図８】
0005681613.tif 000009
【図９】
0005681613.tif 000010
【図１０】
0005681613.tif 000011
【図１１】
0005681613.tif 000012
【図１２】
0005681613.tif 000013
【図１３】
0005681613.tif 000014